(57)【特許請求の範囲】
【請求項１】
ネットワーク管理用の情報処理装置を用いてネットワーク内の複数のアクセスポイントにおける移動型通信端末からの接続状態を監視し、ネットワークの管理を行うネットワーク管理方法であって、
前記移動型通信端末において前記アクセスポイントを介して前記ネットワークへのアクセスを行う度に、当該アクセスポイントにおける接続の成否、転送速度、接続時間を含む接続状況に関する接続情報を蓄積し、接続成功時に当該接続情報をネットワーク管理用の情報処理装置に送信するステップと、
前記ネットワーク管理用の情報処理装置において前記移動型通信端末から受信した前記接続情報をチェックし、各アクセスポイントにおける転送速度、接続成功率を含む性能が閾値テーブルに予め設定した閾値以下に低下しているか否かを判定するステップと、
閾値以下に低下しているアクセスポイントについて対策テーブルに予め設定された対策情報をネットワーク管理者に通知するステップと
を備えることを特徴とするネットワーク管理方法。
【発明の詳細な説明】
【０００１】
【発明の属する技術分野】
本発明は、移動型通信端末のネットワーク接続に関する状況を管理するネットワーク管理方法に関するものである。
【０００２】
【従来の技術】
通信技術の発達と各種通信規格の標準化に伴い、携帯電話やＰＨＳ機能付き端末といった移動型の通信装置や端末の普及が進んでいる。これらの移動型通信端末の利用形態の一つとして、あるネットワークのユーザがそのネットワークに対して出先からのアクセス時に用いる、ということがある。この移動型通信端末による出先からのアクセスは、ネットワークが提供するアクセスポイントを経由してネットワークに接続することによって行われる。
【０００３】
上述したアクセスポイントとは、電話回線などを経由した外部からの接続を受け入れ可能にするもので、主にコンピュータ機器に設定され、一般に、ネットワーク内に複数存在する。また、アクセスポイント番号は、電話番号に代表されるアクセスポイントのＩＤである。
【０００４】
このようにアクセスすることにより、従来通りの内部接続と同様にネットワークを介した利用ができるが、利用する情報処理装置（以下、マシンと記す）のネットワーク内での論理的接続位置や稼動状況・トラフィック状況によって、処理や転送の速度に問題が生じることがある。
【０００５】
なお、従来では、ネットワーク内に接続されたマシンの接続状況を最適に保つことのみが考慮されてきており、移動型通信端末とネットワークの接続に関する最適化は何等考慮されていなかった。以下に、その方法における例を挙げる。
【０００６】
（１）特開平４−１１４５３２号公報の「ネットワークシステム自動構築・再構築方式」
（２）特開平５−２５０２９６号公報の「ネットワーク管理支援システム」
（１）のネットワークシステム自動構築・再構築方式は、一旦構築されたネットワークシ  ステム群をノード稼動状況とネットワークシステム稼動状況に応じて再構築することに  より、ネットワークシステムを最適な構成に保てるようにするものである。
【０００７】
（２）のネットワーク管理支援システムは、ネットワークに接続されたマシンの伝送データ量と伝送先データを元にマシンの接続変更提案を行うことでネットワークを最適な構成に保てるようにするものである。
【０００８】
【発明が解決しようとする課題】
しかし、前記従来の技術では、いずれもネットワークに直接接続する情報処理装置を対象にした最適化構築を行うものであり、移動型通信端末を利用したネットワーク接続に適応すると以下の問題点が生じてくる。
【０００９】
（１）アクセスポイントへの接続失敗：設定や回線契約の種類によっては、同時に複数のアクセスを受け付けられないアクセスポイントが存在する。移動型通信端末からこのようなアクセスポイントを使用してネットワークへ接続する際に、そのアクセスポイントが既に別の移動型通信端末と接続中であると新たなアクセスを受け付けられず、移動型通信端末からネットワークへの接続は失敗となる。再接続の手間や接続のための待ち時間を省くため、他端末アクセスポイント占有による接続失敗を回避する手段が必要である。しかし、前記従来の技術にこのような手段はなく、接続が成功するまで再試行しなければならないという問題点がある。
【００１０】
（２）移動型通信端末の移動に伴う転送速度と接続金額の変動：移動先からのネットワークへの接続に移動型通信端末を使用するといった利用形態では、移動によってネットワーク内のアクセス対象マシンと移動型通信端末の物理的な距離が変化するため、どのアクセスポイントを使用するかで転送速度と接続にかかる金額に違いが生じてくる。このような状況で移動型通信端末からネットワークへの接続を行う場合、移動型通信端末とアクセスポイントの距離が短く、アクセスポイントとアクセス対象マシンの間の接続状況が適当であれば、転送速度と接続にかかる金額は適当となる。ここで、移動型通信端末とアクセス対象マシンの距離がある場合、移動型通信端末に近いアクセスポイントを使用するとネットワーク内での接続経路が不適切となって転送速度が遅くなる可能性があり、またアクセス対象マシンに近いアクセスポイントを使用すると接続にかかる金額が高くなる。そこで、移動型通信端末の移動先とユーザのニーズに応じた適切なアクセスポイントを判断する手段が必要である。しかし、前記従来技術にはこのような手段がなく、経験に基づいて適切と思われるアクセスポイントを選択しなければならないという問題点がある。
【００１１】
本発明は、以上のような問題に鑑み、移動型通信端末を使用してネットワークアクセスを行う環境においてアクセスポイントにおける性能低下の検出とその対策を支援し、最適なアクセスポイントの選択とアクセス成功を支援することができるネットワーク管理方法を提供することを目的とする。
【００１２】
【課題を解決するための手段】
本発明は、ネットワーク管理用の情報処理装置を用いてネットワーク内の複数のアクセスポイントにおける移動型通信端末からの接続状態を監視し、ネットワークの管理を行うネットワーク管理方法であって、前記移動型通信端末において前記アクセスポイントを介して前記ネットワークへのアクセスを行う度に、当該アクセスポイントにおける接続の成否、転送速度、接続時間を含む接続状況に関する接続情報を蓄積し、接続成功時に当該接続情報をネットワーク管理用の情報処理装置に送信するステップと、前記ネットワーク管理用の情報処理装置において前記移動型通信端末から受信した前記接続情報をチェックし、各アクセスポイントにおける転送速度、接続成功率を含む性能が閾値テーブルに予め設定した閾値以下に低下しているか否かを判定するステップと、閾値以下に低下しているアクセスポイントについて対策テーブルに予め設定された対策情報をネットワーク管理者に通知するステップとを備えることを特徴とする。
【００１３】
【発明の実施の形態】
以下、本発明の実施の形態にかかるネットワーク管理方法について図面を参照して具体的に説明する。
図１は、本発明の実施の形態にかかるネットワーク管理方法を説明するのに用いるネットワークの構成図である。
【００１４】
図１において、１０１はネットワーク管理システムであり、ネットワーク内に１つ以上存在する。１０２はアクセスポイントを提供するマシンであり、ネットワーク外部からの接続はこのアクセスポイントを経由して行われる。１０３はルータ機能を備えたコンピュータやネットワーク機器であり、ビル間やセグメント間の接続を行う。１０４は移動型通信端末からのアクセス対象となるパソコンなどのマシンである。１０５はネットワーク管理システム１０１によって管理されている内部ネットワークである。１０６は公衆回線である。１０７は移動型通信端末であり、公衆回線１０６、アクセスポイント提供マシン１０２を経由して接続対象マシン１０４にアクセスを行う。１０８、１０９は１０２と同様のアクセスポイントを提供するマシンである。また、１０２、１０８、１０９はそれぞれ遠隔地にあるとする。
【００１５】
図１に示すネットワーク管理システム１０１は、内部ネットワーク１０５の物理的接続情報や論理的接続情報、ネットワークの構成要素の詳細情報、ネットワークの構成要素の設置位置情報、フロア図面などの保持とモニタリング情報の収集、蓄積を行い、それらの情報を基にネットワークの障害管理、構成管理、性能管理などを行う。
【００１６】
また、アクセスポイントを使用して内部ネットワーク１０５にアクセスしてくる移動型通信端末１０７から、アクセスに関する接続情報を受信・蓄積し、集計結果と算出データとを表示し、移動型通信端末１０７への情報提供と、算出データの閾値チェックを行う。
【００１７】
移動型通信端末１０７は、内部ネットワーク１０５へのアクセスを行う度に、接続したアクセスポイント番号・時刻・接続時間・転送速度・移動型通信端末の位置情報などの接続情報を蓄積し、アクセス成功時にその情報をネットワーク管理システム１０１に送信し、そのネットワーク管理システム１０１からは、ネットワーク管理システム１０１で集計した移動型通信端末１０７のアクセスに関する算出データを受信する。
【００１８】
上述したネットワーク管理システム１０１での蓄積情報を図２に、移動型通信端末１０７で収集する接続情報を図３に、ネットワーク管理システム１０１での集計結果を図４に示す。
【００１９】
図２は、上述したネットワーク管理システム１０１の蓄積情報の例を示した図である。
図２において、２０１のフロア図面は、ネットワークの存在するフロアと、コンピュータやケーブルなどのネットワーク構成要素の配置を表す、物理的ネットワーク構成図面である。２０２の構成要素の設置位置情報は、ネットワーク構成要素の設置位置に関する情報を表すものであり、各構成要素の設置されているフロア名・フロア図面上での位置座標・所在地などの項目がある。２０３の構成要素の詳細情報は、ネットワーク構成要素の詳細情報を表すものであり、各構成要素の名称・メーカ名・型番・ハードディスク容量・メモリ容量・ネットワークに提供しているサービス名などの項目がある。２０４の論理的接続情報は、ネットワークのセグメント毎の情報を表すものであり、セグメント名・セグメント内マシン名・隣接のセグメント名などの項目がある。
【００２０】
また、ネットワーク管理システム１０１はこれらの他に、ネットワーク内マシンのトラフィック状況や各マシンの負荷といったモニタリング情報など、ネットワーク管理に必要な諸情報を蓄積している。
【００２１】
図３は、移動型通信端末１０７で収集する接続情報の例を示した図である。
図３に示す３０１はアクセスポイント番号であり、移動型通信端末１０７がネットワークへのアクセスに利用しようとしたアクセスポイントの番号（ここでは電話番号で示してある）である。３０２の接続の成否は、移動型通信端末１０７からアクセスポイントへの接続が成功したか失敗したかを表す情報である。３０３の接続時刻は、移動型通信端末１０７からネットワークへのアクセスを試みた時刻を表す情報である。３０４の接続時間は、移動型通信端末１０７から内部ネットワーク１０５への接続時間を表す情報である。３０５の転送速度は、移動型通信端末１０７とアクセス対象マシン間の転送速度を表す情報である。３０６の使用金額は、移動型通信端末１０７から内部ネットワーク１０５への接続にかかった金額である。３０７のアクセス対象マシン名は、移動型通信端末１０７から内部ネットワーク１０５を経由してアクセスしたマシン名である。３０８のアクセスユーザ名は、移動型通信端末１０７から３０７に示すアクセス対象マシン１０４へのアクセス時に利用したアクセスユーザ名である。３０９の現在地は、内部ネットワーク１０５への接続を行った時点での移動型通信端末１０７の現在地である。
接続失敗時には、上述した接続時間３０４、転送速度３０５、使用金額３０６は、それぞれ空情報となる。
【００２２】
図４は、ネットワーク管理システム１０１での集計結果の一例を示した図である。
４０１の移動型通信端末番号は、内部ネットワーク１０５へのアクセスを試みた移動型通信端末１０７の番号である。４０２のアクセスポイント番号は、上述した図３の３０１と同様に、移動型通信端末１０７が内部ネットワーク１０５へのアクセスに利用しようとしたアクセスポイントの番号である。４０３のアクセスポイント所在地は、移動型通信端末１０７から内部ネットワーク１０５へのアクセスに利用したアクセスポイントの所在地である。４０４の接続の成否は、上述した図３の３０２と同様に、接続が成功したか失敗したかを表す情報である。４０５の接続時刻は、上述した図３の３０３と同様に、移動型通信端末１０７から内部ネットワーク１０５へのアクセスを試みた時刻を表す情報である。４０６の接続時間は、上述した図３の３０４と同様に、移動型通信端末１０７から内部ネットワーク１０５への接続時間を表す情報であり、接続失敗時のこの情報は空である。４０７の転送量／円は、接続時間３０４、転送速度３０５、使用金額３０６から算出した１円当たりの転送量である。４０８のアクセス対象マシン名は、上述した図３の３０７と同様に、移動型通信端末１０７から内部ネットワーク１０５を経由してアクセスしたマシンである。４０９のアクセスユーザ名は、上述した図３の３０８と同様に、移動型通信端末１０７からアクセス対象マシン１０４へのアクセス時に利用したアクセスユーザ名である。４１０の現在地は、上述した図３の３０９と同様に、内部ネットワーク１０５への接続を行った時点での移動型通信端末１０７の現在地である。
【００２３】
図３に示したものと同様に、接続失敗時には、接続時間４０６と転送量／円４０７は空情報となる。
【００２４】
また、ネットワーク管理システム１０１は、図５に示すような各移動型通信端末１０７で指定された優先順位指定テーブルを保持する。優先順位指定テーブルは、ネットワークへアクセスする際の優先事項であり、予め移動型通信端末１０７とそれを利用するユーザの組み合わせ毎に優先順位リストが指定されている。優先順位指定テーブルは、例えば、図５に示すように、ネットワークへのアクセスを試みる移動型通信端末１０７のＩＤである移動型通信端末番号５０１と、移動型通信端末を利用するユーザ名５０２と、ネットワークへアクセスする際に優先される条件群である優先順位リスト５０３とからなる。このネットワークへアクセスする際に優先される条件群の例としては、例えば接続の成功率が高い、移動型通信端末−アクセスポイント間が近距離である、などが挙げられる。
【００２５】
また、各移動型通信端末１０７は、その端末に関係する部分の優先順位テーブルを保持している。例えば、図５で１６−Ｄの移動型通信端末１０７に関する情報は、ユーザ名「ｕｓｅｒ１６１」に関するものとユーザ名「ｕｓｅｒ１６２」に関するものの２種類があり、これらの情報は移動型通信端末１６−Ｄに保持されている。
【００２６】
さらに、ネットワーク管理システム１０１は、上述した図４の集計結果と図２の蓄積情報を基に算出した算出データ類を保持する。
【００２７】
図６は、各移動型通信端末１０７からの集計結果（図４）とネットワーク管理システム１０１の蓄積情報（図２）と、上述した優先順位指定テーブル（図５）とを基に、ネットワーク管理システム１０１で算出した算出データ類の例であり、各移動型通信端末での接続先選択などに利用される情報である。
【００２８】
図６に示すように、接続成功率６０１は、移動型通信端末１０７とアクセスポイント番号の組み合わせ毎の接続成功率を算出した結果であり、移動型通信端末番号・アクセスポイント番号・月別の平均接続成功率などの項目がある。使用金額６０２は、移動型通信端末１０７を利用したネットワークへのアクセスに使用した金額のユーザ別算出結果であり、ユーザ名・月別の累計使用金額などの項目がある。時間帯別利用率６０３は、アクセスポイント毎の利用率を時間帯別に算出した結果であり、アクセスポイント番号・利用率などの項目がある。ネットワーク管理システム１０１ではこれらの他に、アクセスポイント毎の累計接続時間や移動型通信端末毎の累計接続時間といった情報を算出し、保持する。
【００２９】
次に、移動型通信端末１０７から内部ネットワーク１０５への接続時の処理手順を図７のフローチャートに沿って説明する。
まず、移動型通信端末１０７では接続を試みる度に、図３に示すような接続情報を収集している。また、ネットワーク管理システム１０１は図２に示すような情報を蓄積しており、これらの情報と各移動型通信端末１０７からの接続情報のデータを基に図４に示すような集計結果と図６に示すような算出データ類を作成する。
【００３０】
移動型通信端末１０７から内部ネットワーク１０５への接続は、まず、移動型通信端末１０７のユーザは移動型通信端末１０７からアクセスポイントに対してコールを行う（ステップ７０１）。次に、アクセスポイントへの接続成否を得（ステップ７０２）、接続成功ならばステップ７０３、失敗ならばステップ７０８以降の処理を行う。
【００３１】
ステップ７０３において、移動型通信端末１０７は収集済みの接続情報（図３）をネットワーク管理システム１０１に送信する。
【００３２】
その後、移動型通信端末１０７はネットワーク管理システム１０１から、図５に示す優先順位指定テーブルを基に図６に示した算出データ類から各移動型通信端末１０７が要求する情報を抽出した算出データ（図８に具体例を示す）を受信する（ステップ７０４）。このようにネットワーク管理システム１０１では、このステップ７０４において、予め各移動型通信端末１０７で指定された優先順位指定テーブル（図５）に従って、蓄積情報類（図２）や算出データ類（図６）から接続中の移動型通信端末１０７が要求している情報を抽出した算出データ（図８）を各移動型通信端末１０７に送信する。
【００３３】
その後、ユーザは移動型通信端末１０７からアクセス対象マシン１０４での通常の処理を行い（ステップ７０５）、アクセス対象マシン１０４での通常処理終了後、移動型通信端末１０７は内部ネットワーク１０５への接続を終了する（ステップ７０６）。
【００３４】
そして、移動型通信端末１０７は、接続に利用したアクセスポイント番号３０１、接続の成否３０２、接続時刻３０３、接続時間３０４、転送速度３０５、接続で使用した金額３０６、アクセス対象マシン名３０７、アクセスユーザ名３０８、移動型通信端末１０７の現在地３０９を蓄積し（ステップ７０７）、処理を終了する。
【００３５】
ステップ７０８では、移動型通信端末１０７は、接続しようとしたアクセスポイント番号３０１、接続の成否３０２、接続しようとした時刻３０３、アクセス対象マシン名３０７、アクセスユーザ名３０８、移動型通信端末１０７の現在地３０９を蓄積し、処理を終了する。
【００３６】
図８は、上述した算出データの具体例を示したものであり、ここでは、移動型通信端末番号１６−Ｄのユーザ名「ｕｓｅｒ１６１」、移動型通信端末の現在地が川崎である場合にステップ７０３で表示する算出データの表示例である。
【００３７】
また、この例では、移動型通信端末番号１６−Ｄのユーザ名「ｕｓｅｒ１６１」の場合を取り挙げたが、同じ移動型通信端末でもユーザが違う場合（ユーザ名「ｕｓｅｒ１６２」）には、移動型通信端末−アクセスポイント間が近距離であることよりも接続成功率の高さが優先されるので、図８とは表示順序が違ってくる。
さらに、移動型通信端末番号２３−Ｃのユーザ名「ｕｓｅｒ２３８」で、アクセス対象マシンがＷＳ１の場合、ネットワーク管理システム１０１から受信した論理的接続情報からアクセス対象マシンＷＳ１と同一セグメントか隣接セグメントに存在するアクセスポイントを検索して、その結果（この場合はＷＳ２）を表示する。
【００３８】
次に、ネットワーク管理システム１０１から受信した算出データ（図８）を利用して、移動型通信端末１０７から内部ネットワーク１０５への接続時に適切なアクセスポイント選択を支援する手順を説明する。
【００３９】
図９は、ネットワーク管理システム１０１から受信した算出データを利用し、アクセスポイントを選択する処理を説明するためのフローチャートである。
まず、移動型通信端末１０７のユーザは移動型通信端末１０７に現在地３０９とアクセス対象マシン名３０７とユーザ名３０８を入力する（ステップ９０１）。
【００４０】
次に、移動型通信端末１０７は、予め指定してある接続の成否・接続にかかる金額といった接続条件に関する優先順位指定テーブル（図５）と、ネットワーク管理システム１０１から受信した各種データを基にして、ユーザ指定の条件にあてはまるデータを検索する（ステップ９０２）。例えば、移動型通信端末番号１６−Ｄのユーザ名「ｕｓｅｒ１６１」の場合、図５に示す優先順位指定テーブルにて接続成功率と移動型通信端末−アクセスポイント間が近距離であることを優先すると指定されているため、これらの指定項目が条件に合致する算出データを算出データ類から検索する。
【００４１】
その後、ステップ９０２で検索した算出データを移動型通信端末の表示装置に表示する（ステップ９０３）。
ユーザは、ステップ９０３で検索・表示された算出データを参考にしてアクセスポイントの選択を行う。あるいは、ステップ９０３で表示された算出データのうち最も条件に合致するアクセスポイントに対して、自動的に移動型通信端末１０７から接続要求を行う（ステップ９０４）。
【００４２】
これにより、接続成功率の高いアクセスポイントの選択が可能になるため、接続失敗を回避でき再接続に伴う手間や時間のロスを省ける。
また、優先順位を指定できるため、接続成功率の高いアクセスポイントの選択だけでなく、コスト重視や転送速度重視といったユーザの利用形態にあったアクセスポイントの選択も可能となる。
【００４３】
また、ネットワーク管理システム１０１が、ネットワークを最適に保つための算出データ類の閾値をもつ閾値テーブルを保持し、それによって算出データをチェックすることにより、ネットワーク上の各アクセスポイントにおける転送速度や接続成功率低下の検出を行うことが可能となり、かつ、その原因及び対策を示す原因・対策判断テーブルを保持することにより、その原因追究、及びその対策を講じることが可能になる。
【００４４】
図１０は、図６の算出データ類に示した各テーブル６０１〜６０３の項目についてどの閾値でチェックするかを指定する閾値テーブルである。これは、ネットワーク管理システム１０１のユーザによって予め設定されるものである。
【００４５】
図１０に示すテーブル名１００１は、ネットワーク管理システム１０１で算出した算出データ類（図６）中の、閾値チェックの対象とするテーブルを示すものである。図１０に示すように、項目名１００２は、テーブル名１００１で指定したデータのどの項目に対して閾値チェックを行うかを示すものである。閾値１００３は、項目名１００２で指定した項目に対する閾値を示すものである。処理１００４は、項目名１００２で指定した項目に対して閾値１００３のチェックを行った結果、閾値を超過していると判断されるものがあった場合、どのような処理を行うかを示すものであり、ネットワーク管理システムの表示装置への表示・管理者への通知・利用者への通知といった処理が指定される。
【００４６】
この図１０によれば、接続成功率テーブルに対しては、平均接続成功率が６０％を下回るとネットワーク管理システム１０１の表示装置に成功率を表示し、４０％を下回ると管理者に対して成功率低下の旨を知らせるメールを発信し、２０％を下回ると後述する図１１の原因・対策判断テーブルから原因と対策を検索して管理者に通知メールを発信する、という処理が指定されている。
【００４７】
図１１は、閾値超過時の原因・対策判断テーブルである。これは、ネットワーク管理システム１０１に予め設定されているものである。
図１１に示す項目名１１０１は、ネットワーク管理システム１０１内のデータのどの項目について閾値超過時処理かを示すものである。判断基準１１０２は、閾値超過時の原因と対策を決定するための条件項目である。原因１１０３は、閾値を超過した原因と思われるものを示す。対策１１０４は、閾値を超過しないための対策方法を示す。
【００４８】
次に、ネットワーク管理システム１０１での集計結果（図４）と算出データ類（図６）を用いたアクセスポイントにおける性能低下状況検出及び対策支援の処理手順を図１２のフローチャートに沿って説明する。
まず、ネットワーク管理システムは閾値テーブル（図１０）に従い、ネットワーク管理システム１０１に保持されている各種算出データ類（図６）の閾値チェックを行う（ステップ１２０１）。
【００４９】
次に、ステップ１２０１で行った閾値チェックの結果を調べ、閾値超過データが存在した場合はステップ１２０３に進む（ステップ１２０２）。
そして、存在が確認された閾値を超過するデータについて、ネットワーク管理システム１０１への表示・管理者へのメールでの通知などの、閾値テーブル（図１０）の処理項目１００４に指定されている処理を行う。処理項目１００４で対策検索を指示された場合は、原因・対策判断テーブル（図１１）を用いて性能低下の原因１１０３と対策１１０４を判断し、対策を行う（ステップ１２０３）。
【００５０】
これにより、ネットワーク管理システムの算出データ類に対して閾値チェックを行うことで、接続時にユーザに最適なアクセスポイントへの接続を支援し、更に、アクセスポイントにおける性能低下の検出と対策を支援することができ、ネットワークの最適化を図ることができる。
【００５１】
以上、本発明者によってなされた発明を、前記実施形態に基づき具体的に説明したが、本発明は、前記実施形態に限定されるものではなく、その要旨を逸脱しない範囲において種々変更可能であることは勿論である。
【００５２】
【発明の効果】
以上のように本発明によれば、アクセスポイントにおける性能低下の検出と対策を支援することができ、ネットワークの最適化を図ることができる。
【図面の簡単な説明】
【図１】本発明の実施の形態にかかるネットワーク管理方法を説明するのに用いるネットワークの構成図である。
【図２】ネットワーク管理システム１０１の蓄積情報の例を示した図である。
【図３】移動型通信端末１０７で収集する接続情報の例を示した図である。
【図４】ネットワーク管理システム１０１での集計結果の一例を示した図である。
【図５】優先順位指定テーブルを示した図である。
【図６】ネットワーク管理システム１０１で算出した算出データ類の例を示した図である。
【図７】移動型通信端末１０７から内部ネットワーク１０５への接続時の処理手順を示したフローチャートである。
【図８】算出データの具体例を示した図である。
【図９】アクセスポイントを選択する処理を説明するためのフローチャートである。
【図１０】図６の算出データ類に対する閾値テーブルである。
【図１１】閾値超過時の原因・対策判断テーブルである。
【図１２】アクセスポイントにおける性能低下状況検出及び対策支援の処理手順を示したフローチャートである。
【符号の説明】
１０１…ネットワーク管理システム、１０２、１０８、１０９…アクセスポイント提供マシン、１０３…ネットワーク機器、１０４…アクセス対象マシン、１０５…内部ネットワーク、１０６…公衆回線、１０７…移動型通信端末。
【図１】
0003654636.tif 000002
【図２】
0003654636.tif 000003
【図３】
0003654636.tif 000004
【図４】
0003654636.tif 000005
【図５】
0003654636.tif 000006
【図６】
0003654636.tif 000007
【図７】
0003654636.tif 000008
【図８】
0003654636.tif 000009
【図９】
0003654636.tif 000010
【図１０】
0003654636.tif 000011
【図１１】
0003654636.tif 000012
【図１２】
0003654636.tif 000013